(57)【特許請求の範囲】
【請求項１】
本体の長手方向に対する幅方向の左右における左右一対のローラーを前記本体の長手方向の一端側に前記本体の長手方向に沿って複数並設すると共に、
前記本体の長手方向の他端側に把持部を設け、
前記本体の長手方向の他端側の最も端に位置する前記左右一対のローラーの間隔を、前記本体の長手方向の一端側の最も端に位置する前記左右一対のローラーの間隔よりも大きくすると共に、
各前記左右一対のローラーの各前記間隔が可変となるよう、前記本体を前記本体の長手方向の一端側から前記把持部側へ途中まで前記本体の幅方向において左右に分断する分断部を設けると共に前記本体は弾性を有し、
各前記左右一対のローラーの各回転軸中心線を前記本体の幅方向において傾斜させ、
前記本体の長手方向の他端側に設けた前記把持部が、前記本体の長手方向の一端側に設けた各前記左右一対のローラーよりも上方に位置した状態における前記本体の上下方向に、
前記本体の長手方向の他端側の最も端に位置する前記左右一対のローラーの各前記回転軸中心線
及び前記本体の長手方向の一端側の最も端に位置する前記左右一対のローラーの各前記回転軸中心線のうちの
いずれかの前記本体の幅方向から見た傾きを合わせると共に、
各前記左右一対のローラーの各前記回転軸中心線上にある各先端が前記本体の上下方向において下へ向いている状態で、
前記本体の長手方向の他端側の最も端に位置する前記左右一対のローラーの各前記回転軸中心線上にある各先端頂点の位置を、
前記本体の長手方向の一端側の最も端に位置する前記左右一対のローラーの各前記回転軸中心線上にある各先端頂点の位置よりも上になるようにしたことを特徴とする美容ローラー。
【請求項２】
前記本体の長手方向の一端側の最も端に位置する前記左右一対のローラーの各前記回転軸中心線の前記ローラー間における相互角度を、
前記本体の長手方向の他端側の最も端に位置する前記左右一対のローラーの各前記回転軸中心線の前記ローラー間における相互角度よりも小さくしたことを特徴とする請求項１に記載の美容ローラー。
【発明の詳細な説明】
【技術分野】
【０００１】  本発明は身体をマッサージするための美容ローラーに関するものである。
【背景技術】
【０００２】  従来の美容ローラーとして、人の体などの身体部位を摘まんでマッサージする左右一対のローラーを前後方向に複数並設することで、マッサージの効果を高めたものが既に存在し、各ローラーの配置を左右対称や前後対称としている（例えば、特許文献１の図６、及び特許文献２を参照）。【０００３】  しかし、身体の表面形状は複雑であり、細い部位や太い部位、また柔らかい部位や硬い部位、さらに痩せた部位や膨らんだ部位など様々な部位が存在するため、各ローラーの配置が左右対称や前後対称となっているだけでは、前後方向に複数並設した左右一対のローラーのそれぞれの間で効果的に摘まんでマッサージするには限界があった。すなわち、左右一対のローラーの間隔がすべて同じであれば、例えば身体における細く、または柔らかい部位を一側の左右一対のローラーで摘まめたとしても、他側の左右一対のローラーが身体における太く、または硬い部位に位置する場合、一側の左右一対のローラーよりも他側の左右一対のローラーの間の方において身体部位が入りにくくなるため、他側の左右一対のローラー間で細い身体部位と同じような摘まみ感を得ることは期待できない。同様、前方の左右一対のローラーと後方の左右一対のローラーとが前後において身体における痩せた部位と膨らんだ部位とに跨る場合、大抵は膨らんだ身体部位の方に力がかかるため、痩せた身体部位の方は摘まみ感が損なわれやすくなる。
【先行技術文献】
【特許文献】
【０００４】
【特許文献１】特開２０１２−１８３１７１号公報
【特許文献２】意匠登録第１３７４２５５号公報
【発明の概要】
【発明が解決しようとする課題】
【０００５】  解決しようとする問題点は、一対のローラーを複数並設したローラーであっても、各一対のローラーのそれぞれの間で効果的に摘まんでマッサージできるようにするという点である。
【課題を解決するための手段】
【０００６】  本発明の美容ローラーは、本体の長手方向に対する幅方向の左右における左右一対のローラーを前記本体の長手方向の一端側に前記本体の長手方向に沿って複数並設すると共に、前記本体の長手方向の他端側に把持部を設け、前記本体の長手方向の他端側の最も端に位置する前記左右一対のローラーの間隔を、前記本体の長手方向の一端側の最も端に位置する前記左右一対のローラーの間隔よりも大きくすると共に、各前記左右一対のローラーの各前記間隔が可変となるよう、前記本体を前記本体の長手方向の一端側から前記把持部側へ途中まで前記本体の幅方向において左右に分断する分断部を設けると共に前記本体は弾性を有し、各前記左右一対のローラーの各回転軸中心線を前記本体の幅方向において傾斜させ、前記本体の長手方向の他端側に設けた前記把持部が、前記本体の長手方向の一端側に設けた各前記左右一対のローラーよりも上方に位置した状態における前記本体の上下方向に、前記本体の長手方向の他端側の最も端に位置する前記左右一対のローラーの各前記回転軸中心線及び前記本体の長手方向の一端側の最も端に位置する前記左右一対のローラーの各前記回転軸中心線のうちのいずれかの前記本体の幅方向から見た傾きを合わせると共に、各前記左右一対のローラーの各前記回転軸中心線上にある各先端が前記本体の上下方向において下へ向いている状態で、前記本体の長手方向の他端側の最も端に位置する前記左右一対のローラーの各前記回転軸中心線上にある各先端頂点の位置を、前記本体の長手方向の一端側の最も端に位置する前記左右一対のローラーの各前記回転軸中心線上にある各先端頂点の位置よりも上になるようにしたことを最も主要な特徴とする。【０００８】  さらに、本発明の美容ローラーとして、前記本体の長手方向の一端側の最も端に位置する前記左右一対のローラーの各前記回転軸中心線の前記ローラー間における相互角度を、前記本体の長手方向の他端側の最も端に位置する前記左右一対のローラーの各前記回転軸中心線の前記ローラー間における相互角度よりも小さくしてもよい。
【発明の効果】
【０００９】  本発明の美容ローラーは、前記本体の長手方向の他端側の最も端に位置する前記左右一対のローラーの前記間隔を、前記本体の長手方向の一端側の最も端に位置する前記左右一対のローラーの前記間隔よりも大きくしているため、前記本体の長手方向の一端側の最も端に位置する前記左右一対のローラーで、身体における細く、または柔らかい部位を十分に摘まむと同時に、前記本体の長手方向の一端側の最も端に位置する前記左右一対のローラーよりも身体部位が入りやすくなっている前記本体の長手方向の他端側の最も端に位置する前記左右一対のローラーで、身体における太く、または硬い部位も同じように十分に摘まむことができるので、効果的なマッサージを施せる。また、各前記左右一対のローラーの各前記間隔が可変となるよう、前記本体を前記本体の長手方向の一端側から前記把持部側へ途中まで前記本体の幅方向において左右に分断する分断部を設けると共に前記本体は弾性を有するので、各前記左右一対のローラーの間に身体部位が入りやすくなって、様々な身体部位の太さや硬さ、また凸凹面に対応しやすくなり、充実した効果的なマッサージを施すことが可能になる。また、本発明の美容ローラーは、各前記左右一対のローラーの各前記回転軸中心線を前記本体の幅方向において傾斜させ、前記本体の長手方向の他端側に設けた前記把持部が、前記本体の長手方向の一端側に設けた各前記左右一対のローラーよりも上方に位置した状態における前記本体の上下方向に、各前記回転軸中心線のうちのいずれかの前記本体の幅方向から見た傾きを合わせると共に、各前記左右一対のローラーの各前記回転軸中心線上にある各先端が前記本体の上下方向において下へ向いている状態で、前記本体の長手方向の他端側の最も端に位置する前記左右一対のローラーの各前記回転軸中心線上にある各先端頂点の位置を、前記本体の長手方向の一端側の最も端に位置する前記左右一対のローラーの各前記回転軸中心線上にある各先端頂点の位置よりも上になるようにしたため、前記本体の長手方向の他端側の最も端に位置する前記左右一対のローラーに力がかかり過ぎず、前記本体の長手方向の一端側の最も端に位置する前記左右一対のローラーにも適度な力がかかるようになり、前記本体の長手方向の他端側の最も端に位置する前記左右一対のローラーで身体における膨らんだ部位を十分に摘まむと同時に、前記本体の長手方向の一端側の最も端に位置する前記左右一対のローラーで身体における痩せた部位も同じように十分に摘まんで効果的にマッサージを施すことができる。【００１１】  さらに、本発明の美容ローラーとして、前記本体の長手方向の一端側の最も端に位置する前記左右一対のローラーの各前記回転軸中心線の前記ローラー間における相互角度を、前記本体の長手方向の他端側の最も端に位置する前記左右一対のローラーの各前記回転軸中心線の前記ローラー間における相互角度よりも小さくするなら、比較的ローラーの間隔が狭く、身体部位が入りにくい最も前方の前記左右一対のローラーにおいても、摘まみ感を高めることができて効果的なマッサージを実施できる。
【図面の簡単な説明】
【００１２】
【図１】本発明の一実施の形態における美容ローラーの正面図。
【図２】同美容ローラーの底面図。
【図３】同美容ローラーの右側面図。
【図４】同美容ローラーにおけるローラーの断面図。
【図５】同美容ローラーの使用状態図。
【発明を実施するための形態】
【００１３】  以下に、本発明の美容ローラーを図面に基づき詳細に説明する。本発明の美容ローラー１は図１〜図３の実施形態で示したように、把持部１２の前方に左右一対のローラーＲ１・Ｒ１、Ｒ２・Ｒ２を前後方向に複数並設した本体１０を有する。すなわち、前記本体１０の長手方向に対する幅方向の左右における左右一対のローラーＲ１・Ｒ１、Ｒ２・Ｒ２を前記本体１０の長手方向の一端側に前記本体１０の長手方向に沿って複数並設すると共に、前記本体１０の長手方向の他端側に前記把持部１２を設けている。図面では前後に二つ並設した左右一対のローラーとしているが、前後三つでもまたはそれ以上の数でもよく、必要に応じた数の左右一対のローラーを並設できる。
【００１４】  尚、図１に示す身体部位Ｍは人の身体の特定の部位に限定せず、頭や首、胴体、腕や脚の肢体や手足など、あらゆる部位のことを指している。図５に示す身体部位Ｍは人の脚部である。
【００１５】  さらに図１及び図３〜図５において、最も前方に位置する、すなわち前記本体１０の長手方向の一端側の最も端に位置する前記左右一対のローラーＲ１・Ｒ１の回転軸の仮想中心線をそれぞれ回転軸中心線Ｌ１と示し、最も後方に位置する、すなわち前記本体１０の長手方向の他端側の最も端に位置する前記左右一対のローラーＲ２・Ｒ２の回転軸の仮想中心線をそれぞれ回転軸中心線Ｌ２と示している。
【００１６】  図１及び図５に示すように、前記左右一対のローラーＲ１・Ｒ１、Ｒ２・Ｒ２のそれぞれの間に前記身体部位Ｍが入って摘まんだ状態になり、その状態で押し引きすると各前記ローラーＲ１、Ｒ２がそれぞれ回転するので、摘まみながらローリングマッサージを実施することができる。
【００１７】  図１に示すように各前記ローラーＲ１、Ｒ２は、前記把持部１２の前方左右にそれぞれ延設した四つのローラー軸１１にそれぞれ軸設している。すなわち、図４に示すように各前記ローラー軸１１の周囲を回転するローラー中具２１をそれぞれ備え、各前記ローラー中具２１が各前記ローラー軸１１から外れないよう、各前記ローラー軸１１の先端にローラー止め具２２をそれぞれ係止している。また、各前記ローラー中具２１の外側には略半球形状または略球形状の軟質部材２３をそれぞれ被嵌している。前記軟質部材２３は他にも略円盤形状であってもよい。
【００１８】  さらに、図４に示すように各前記ローラーＲ１、Ｒ２の形状について、各前記回転軸中心線Ｌ１、Ｌ２方向における各前記ローラーＲ１、Ｒ２のそれぞれの外形幅Ｆを、各前記ローラーＲ１、Ｒ２のそれぞれの外径幅Ｇよりも小さく抑えた形状にしているため、全体としてコンパクトな外観になっている。また、図１に示すように正面視且つ、前記本体１０の幅方向において各前記回転軸中心線Ｌ１、Ｌ２がそれぞれ傾斜して各前記ローラーＲ１、Ｒ２の周囲側面が前記身体部位Ｍに当接しやすくなっているため、各前記ローラーＲ１、Ｒ２のそれぞれにおいて前記外形幅Ｆを前記外径幅Ｇよりも小さく抑えた形状にするほど前記身体部位Ｍの肌をとらえやすくなり、各前記左右一対のローラーＲ１・Ｒ１、Ｒ２・Ｒ２のそれぞれの間で効果的な摘まみマッサージを実施できる。
【００１９】  さらに、図４にも示すように各前記ローラーＲ１・Ｒ２の先端側に、各前記ローラーＲ１・Ｒ２の外径幅Ｇよりも小さい径の外周溝２３０をそれぞれ設けるなら、各前記ローラーＲ１・Ｒ２は略半球形状または略球形状、または略円盤形状で肌当たりが良好でありながら、各前記外周溝２３０で前記身体部位Ｍの肌をしっかりとらえこんで、各前記左右一対のローラーＲ１・Ｒ１、Ｒ２・Ｒ２のそれぞれの間で効果的な摘まみマッサージを実施できる。
【００２０】  図１及び図４に示すように、各前記ローラー軸１１は円錐形状としている。正面視において、前記本体１０を前記身体部位Ｍに押し当てた時に、各前記ローラー中具２１の内部に挿入された各前記ローラー軸１１の下側が特に圧接状態になる。これらの圧接する部分を図１では軸圧接線Ｌ１１・Ｌ１１、Ｌ２２・Ｌ２２として示している。各前記軸圧接線Ｌ１１、Ｌ２２の正面視における角度が水平線Ｌ０の角度に近づくほど、各前記軸圧接線Ｌ１１、Ｌ２２以外の前記本体１０における部分に押し当てた力がかからなくなり、そのような部分における各前記ローラーＲ１、Ｒ２の回転摩擦による破損を防止することができる。それで、各前記ローラー軸１１を円錐形状とすることにより、前記水平線Ｌ０を基準として、最も前方の、すなわち前記本体１０の長手方向の一端側の最も端に位置する前記左右一対のローラーＲ１・Ｒ１の各前記軸圧接線Ｌ１１は、各前記回転軸中心線Ｌ１よりも鋭角になって前記水平線Ｌ０の角度に近づくようにしており、同じように、最も後方の、すなわち前記本体１０の長手方向の他端側の最も端に位置する前記左右一対のローラーＲ２・Ｒ２の各前記軸圧接線Ｌ２２は、各前記回転軸中心線Ｌ２よりも鋭角になって前記水平線Ｌ０の角度に近づくようにしている。尚、図１に示すように前記水平線Ｌ０は、正面視において前記本体１０を押し当てた前記身体部位Ｍの面の傾き角度と近似している。
【００２１】  前記把持部１２は図２、図３、図５に示すように、人が片手で握れる形状のものとしており、前記本体１０の前後方向に延びる棒形状としてもよい。または塊形状であれば鷲掴みしてしっかりと保持することができる。それでも前記把持部１２を棒形状にすると共に、図３に示すように最も後方に位置する、すなわち前記本体１０の長手方向の他端側の最も端に位置する前記左右一対のローラーＲ２・Ｒ２の各前記回転軸中心線Ｌ２よりも後方に位置するよう構成するなら、図５に示すように人体の足首のような手が届きにくい身体部位に各前記ローラーＲ１、Ｒ２が届きやすくなる。
【００２２】  図１及び図２に示すように、最も後方に位置する、すなわち前記本体１０の長手方向の他端側の最も端に位置する前記左右一対のローラーＲ２・Ｒ２の間隔Ｄ２を、最も前方の、すなわち前記本体１０の長手方向の一端側の最も端に位置する前記左右一対のローラーＲ１・Ｒ１の間隔Ｄ１よりも大きくしている。尚、前記間隔Ｄ１は、底面視における前記左右一対のローラーＲ１・Ｒ１の間に存する最小の隙間幅のことであり、前記間隔Ｄ２も同様の隙間幅のことを指している。
前記間隔Ｄ２を前記間隔Ｄ１よりも大きくしているため、最も前方の、すなわち前記本体１０の長手方向の一端側の最も端に位置する前記左右一対のローラーＲ１・Ｒ１で、身体における細く、または柔らかい部位を十分に摘まむと同時に、最も前方の、すなわち前記本体１０の長手方向の一端側の最も端に位置する前記左右一対のローラーＲ１・Ｒ１よりも前記身体部位Ｍが入りやすくなっている最も後方の、すなわち前記本体１０の長手方向の他端側の最も端に位置する前記左右一対のローラーＲ２・Ｒ２で、身体における太く、または硬い部位も同じように十分に摘まむことができ、効果的なマッサージを施せる。特に、図５に示すように人の脚の細い痩せた部位であるアキレス腱から太くなり硬い筋肉のある脹脛にかけてマッサージするのに適している。または、膝から太い筋肉のある太ももにかけてマッサージするのにも適しており、太ももから大きく膨らんだ臀部にかけても十分対応することができる。他にも、腰から胸へ、また手首から前腕にかけて、さらに肘から二の腕にかけてマッサージを実施しやすい。
【００２３】  また、本発明の美容ローラー１は、図３に示すように前記本体１０の幅方向から見た側面視において、前記本体１０の長手方向の他端側に設けた前記把持部１２が、前記本体１０の長手方向の一端側に設けた各前記左右一対のローラーＲ１・Ｒ１よりも上方に位置した状態における前記本体１０の上下方向に、最も後方の、すなわち前記本体１０の長手方向の他端側の最も端に位置する前記左右一対のローラーＲ２・Ｒ２の各前記回転軸中心線Ｌ２及び最も前方の、すなわち前記本体１０の長手方向の一端側の最も端に位置する前記左右一対のローラーＲ１・Ｒ１の各前記回転軸中心線Ｌ１のうちのいずれかの前記本体１０の幅方向から見た（側面視における）傾きを合わせると共に、各前記左右一対のローラーＲ１・Ｒ１・Ｒ２・Ｒ２の各前記回転軸中心線上Ｌ１・Ｌ２にある各先端が前記本体１０の上下方向において下へ向いている状態で、前記本体１０の長手方向の他端側の最も端に位置する前記左右一対のローラーＲ２・Ｒ２の各前記回転軸中心線Ｌ２上にある各先端頂点Ｐ２の位置を、前記本体１０の長手方向の一端側の最も端に位置する前記左右一対のローラーＲ１・Ｒ１の各前記回転軸中心線Ｌ１上にある各先端頂点Ｐ１の位置よりも上になるようにしているため、最も後方の、すなわち前記本体１０の長手方向の他端側の最も端に位置する前記左右一対のローラーＲ２・Ｒ２に力がかかり過ぎず、最も前方の、すなわち前記本体１０の長手方向の一端側の最も端に位置する前記左右一対のローラーＲ１・Ｒ１にも適度な力がかかるようになり、最も後方の、すなわち前記本体１０の長手方向の他端側の最も端に位置する前記左右一対のローラーＲ２・Ｒ２で身体における膨らんだ部位を十分に摘まむと同時に、最も前方の、すなわち前記本体１０の長手方向の一端側の最も端に位置する前記左右一対のローラーＲ１・Ｒ１で身体における痩せた部位も同じように十分に摘まんで効果的にマッサージを施すことができる。
【００２４】  特に、図５に示すように最も後方の、すなわち前記本体１０の長手方向の他端側の最も端に位置する前記左右一対のローラーＲ２・Ｒ２が人の脚の膨らんだ脹脛の下部を摘まむ時、最も前方の、すなわち前記本体１０の長手方向の一端側の最も端に位置する前記左右一対のローラーＲ１・Ｒ１は脹脛よりも痩せたアキレス腱に届いてこの部位を十分に摘まむことができる。または、膨らんだ筋肉のある太ももとそれよりも痩せて屈曲する部位の膝、膨らんだ臀部とそれよりも膨らんでいない太もも、膨らんだ胸とそれよりも引き締まった腰、膨らんだ前腕とそれよりも引き締まった手首、膨らんだ二の腕とそれよりも痩せて屈曲する部位の肘であっても、最も前方の、すなわち前記本体１０の長手方向の一端側の最も端に位置する前記左右一対のローラーＲ１・Ｒ１は、より膨らんでいない痩せた方または引き締まった方に十分届いて、最も後方の、すなわち前記本体１０の長手方向の他端側の最も端に位置する前記左右一対のローラーＲ２・Ｒ２と同時にそのような部位を十分に摘まんで効果的なマッサージを実施できる。
【００２５】  また、本発明の美容ローラー１として図１及び図２に示すように、各前記左右一対のローラーＲ１・Ｒ１、Ｒ２・Ｒ２の前記間隔Ｄ１、Ｄ２がそれぞれ可変となるよう、前記本体１０を前方から、すなわち前記本体１０の長手方向の一端側から前記把持部１２側へ途中まで前記本体１０の幅方向において左右に分断する分断部１３を設けると共に弾性を有するものとすることができる。例えば、前記本体１０をＵ字形状となるよう弾性を有する樹脂で形成することができるし、または前記本体１０のＵ字形状の一部が弾性を有する部材を含む構成とすることも可能である。そのように前記本体１０を構成することにより、最も前方の、すなわち前記本体１０の長手方向の一端側の最も端に位置する前記左右一対のローラーＲ１・Ｒ１及び最も後方の、すなわち前記本体１０の長手方向の他端側の最も端に位置する前記左右一対のローラーＲ２・Ｒ２のそれぞれの間に前記身体部位Ｍがさらに入りやすくなるため、様々な前記身体部位Ｍの太さや硬さ、また凸凹面に対応しやすくなり、充実した効果的なマッサージを施すことが可能になる。
【００２６】  さらに図３に示すように、前記ローラーＲ１と前記ローラーＲ２との間に切り欠き部１４をそれぞれ設けるなら、前記本体１０が前記把持部１２よりも前方すべてを弾性部材で形成する場合、各前記ローラーＲ１、Ｒ２が独立懸架に近い状態となり、前記身体部位Ｍの複雑な面にフィットしやすくなるし、また、例えば各前記左右一対のローラーＲ２・Ｒ２の間が広がった時、各前記左右一対のローラーＲ１・Ｒ１の間がそれに追従して不必要に広がることにより、そこでのつまみ感が失われてしまう事態を軽減することができる。さらに、各前記切り欠き部１４を設ける場合、図３に示すように人の手の指のように細長い棒状の棒状部１５をそれぞれ各前記ローラーＲ１、Ｒ２毎に形成してもよい。さらに、各前記棒状部１５の太さに応じて弾力を設定することも可能である。
【００２７】  図１では、最も前方の、すなわち前記本体１０の長手方向の一端側の最も端に位置する前記左右一対のローラーＲ１・Ｒ１の各前記回転軸中心線Ｌ１の相互角度Ａ１と、最も後方の、すなわち前記本体１０の長手方向の他端側の最も端に位置する前記左右一対のローラーＲ２・Ｒ２の各前記回転軸中心線Ｌ２の相互角度Ａ２をそれぞれ示している。各前記相互角度Ａ１、Ａ２について、この角度を調整することで摘まみ感や転がり感（ローリング感）を調整することができる。すなわち、この角度を大きくすると各前記ローラーＲ１、Ｒ２が回転しやすくなるので、転がり感を大きくしてスムーズなローリングマッサージを施すことができ、この角度を小さくすると各前記ローラーＲ１、Ｒ２の転がり抵抗が増して各前記左右一対のローラーＲ１・Ｒ１、Ｒ２・Ｒ２のそれぞれで捏ねるようなマッサージ感が生じ、その結果摘まみ感が強くなる。
【００２８】  そこで図１に示すように本発明の美容ローラー１として、前記本体１０の正面視において、最も前方の、すなわち前記本体１０の長手方向の一端側の最も端に位置する前記左右一対のローラーＲ１・Ｒ１の各前記回転軸中心線Ｌ１の前記ローラーＲ１・Ｒ１間における相互角度Ａ１を、最も後方の、すなわち前記本体１０の長手方向の他端側の最も端に位置する前記左右一対のローラーＲ２・Ｒ２の各前記回転軸中心線Ｌ２の前記ローラーＲ２・Ｒ２間における相互角度Ａ２よりも小さくすることにより、前記身体部位Ｍが入りにくい最も前方の、すなわち前記本体１０の長手方向の一端側の最も端に位置する前記左右一対のローラーＲ１・Ｒ１においても摘まみ感を高めることができ、効果的なマッサージを実施できるようにすることが可能となる。
【００２９】  上記美容ローラー１を試作し、前記間隔Ｄ１、Ｄ２、前記先端頂点間高さ幅Ｈ及び前記先端頂点間前後幅Ｉ、前記相互角度Ａ１、Ａ２をそれぞれ調整しつつ各前記左右一対のローラーＲ１・Ｒ１、Ｒ２・Ｒ２の間での摘まみ感がそれぞれ同時に良好になるよう設定した。尚、前記ローラーＲ１、Ｒ２の前記外形幅Ｆを２４．５ミリとし、外径幅Ｇを３４ミリとした。
【００３０】  すなわち、前記間隔Ｄ１を３ミリから２５ミリの範囲内で設定し、前記間隔Ｄ２を６ミリから８０ミリの範囲内で設定するのが良好であった。また、前記間隔Ｄ１と前記間隔Ｄ２との比率について、前記間隔Ｄ１を１として前記間隔Ｄ２を２〜６の間になるように設定するのがさらに良好であった。
【００３１】  また、前記先端頂点間高さ幅Ｈを３ミリから５０ミリの範囲内で設定し、前記先端頂点間前後幅Ｉを１０ミリから８０ミリの範囲内で設定するのが良好であった。また、前記先端頂点間高さ幅Ｈと前記先端頂点間前後幅Ｉとの比率について、前記先端頂点間高さ幅Ｈを１として前記先端頂点間前後幅Ｉを０．８〜３の間になるように設定するのがさらに良好であった。
【００３２】  さらに、前記相互角度Ａ１、Ａ２について、それぞれ５°から１００°の範囲内で設定するのが良好であった。また、前記相互角度Ａ１と前記相互角度Ａ２との比率について、前記相互角度Ａ１を１として前記相互角度Ａ２を１．０５〜１．５の間になるように設定するのがさらに良好であった。
【００３３】  検討を進めた結果、前記間隔Ｄ１と前記間隔Ｄ２との比率において、前記間隔Ｄ１を１として前記間隔Ｄ２を２〜６の間になるように設定した状態で、前記先端頂点間高さ幅Ｈと前記先端頂点間前後幅Ｉとの比率において、前記先端頂点間高さ幅Ｈを１として前記先端頂点間前後幅Ｉを２〜３の間になるように設定すると共に、前記相互角度Ａ１と前記相互角度Ａ２との比率において、前記相互角度Ａ１を１として前記相互角度Ａ２を１．０５〜１．５の間になるように設定すると同時に、前記外径幅Ｇと前記先端頂点間前後幅Ｉとの比率において、前記外径幅Ｇを１として前記先端頂点間前後幅Ｉを０．８〜１．５の間になるように設定するのが最も好ましい結果を得ることができた。
【符号の説明】
【００３４】１  美容ローラー
１０  本体
１１  ローラー軸
１２  把持部
１３  分断部
１４  切り欠き部
１５  棒状部
２１  ローラー中具
２２  ローラー止め具
２３  軟質部材
２３０  外周溝
Ａ１、Ａ２  相互角度
Ｄ１、Ｄ２  間隔
Ｆ  外形幅
Ｇ  外径幅
Ｈ  先端頂点間高さ幅
Ｉ  先端頂点間前後幅
Ｌ０  水平線
Ｌ１、Ｌ２  回転軸中心線
Ｌ１１、Ｌ２２  軸圧接線
Ｍ  身体部位
Ｐ１、Ｐ２  先端頂点
Ｒ１、Ｒ２  ローラー
【図１】
0006596721.tif 000002
【図２】
0006596721.tif 000003
【図３】
0006596721.tif 000004
【図４】
0006596721.tif 000005
【図５】
0006596721.tif 000006